(57)【要約】【課題】身体がズレることなく容易に横向きの姿勢を保持し、長時間使用しても血行を維持して床擦れを防止する。【解決手段】３体に分割した短手フレーム１ｂをベッドの幅方向に中折れ可能に枢着し、前後の短手フレーム１ｂ間に複数本の軸体をベッドの幅方向へ所定間隔おいて並列に架設し、同各軸体それぞれに軸孔を備えた略円柱状の複数のロール４を回転自在に軸挿し、並列した複数のロール４でもってベッド面を形成し、短手フレーム１ｂの中折れ角度を所定角度に保持する解除可能な角度保持手段５を設け、ベッド面に布団Ｍを敷設し、ベッド面の一部を所定角度に傾斜できるようにした。【選択図】          図６
2004254984.tif 000002
【特許請求の範囲】
【請求項１】
ベッドフレームをベッドの幅方向に中折れ可能にし、同ベッドフレームの前後間に複数本の軸体をベッドの幅方向へ所定間隔おいて並列に架設し、同各軸体それぞれに軸孔を備えた略円柱状の複数のロールを回転自在に軸挿し、並列した複数のロールでもってベッド面を形成し、ベッドフレームの中折れ角度を所定角度に保持する解除可能な角度保持手段を設け、ベッド面に布団を敷設し、ロール上で身体を動かして圧接点を変えることで床擦れを防止でき、しかもベッド面の一部を所定角度に傾斜させて身体を横臥状態に保持できるようにした床擦れ防止ベッド。
【請求項２】
ベッドフレームの中折れ部分を２箇所設け、ベッド面の一部を左右いずれかの向きに傾斜させて身体を横臥状態に保持できるようにした請求項１記載の床擦れ防止ベッド。
【請求項３】
ロール上に敷設した布団をベッドフレームの左右端に固定する布団挟持具を設け、ベッドフレームの中折れ時に敷設した布団がロール上を滑らないようにした請求項１又は２記載の床擦れ防止ベッド。
【請求項４】
ベッドフレームが、ベッドの幅方向に分割したフレームの長手端同士を回動自在に枢着した構造である請求項１〜３いずれか記載の床擦れ防止ベッド。
【請求項５】
角度保持手段が、爪車に逆止爪を解除可能に掛止して一方向のみに回動できるようにしたラチェット装置を分割したフレームの枢着部に取り付けてベッド面の一部を所定の傾斜角度に保持できるようにしたものである請求項４記載の床擦れ防止ベッド。
【請求項６】
各ロールの一部又は全部をモータの駆動力で回転させるようにした請求項１〜５いずれか記載の床擦れ防止ベッド。
【発明の詳細な説明】
【０００１】
【発明の属する技術分野】
本発明はベッドとして、又は床面に直接載置して使用する寝台に関し、詳しくは身体がズレることなく横向きの姿勢を容易に保持でき、長時間使用しても血行を維持して床擦れを防止できるようにする技術に関する。
【０００２】
【従来の技術】
従来のベッド等の寝台としては、内部にスプリングやウレタンフォームを組み込んでクッション性を均一に付与した平坦な形状のマットレスを備えたものが主流である。このようなマットレスは身体を傾ける場合、背中を枕等で補助する必要があり、しかも形状が平坦であるから徐々にズレて姿勢を保持できなくなる問題があった。また、お年寄りや身障者，患者などが長時間に渡って使用していると、血管を圧迫して血行を妨げ床擦れを生じさせる恐れもあった。
【０００３】
【発明が解決しようとする課題】
本発明が解決しようとする課題は、従来のこれらの問題点を解消し、身体がズレることなく容易に横向きの姿勢を保持でき、長時間使用しても身体を動かして圧接点を変えることで血行を維持して床擦れを防止できるようにした床擦れ防止ベッドを提供することにある。
【０００４】
【課題を解決するための手段】
かかる課題を解決した本発明の構成は、
１）  ベッドフレームをベッドの幅方向に中折れ可能にし、同ベッドフレームの前後間に複数本の軸体をベッドの幅方向へ所定間隔おいて並列に架設し、同各軸体それぞれに軸孔を備えた略円柱状の複数のロールを回転自在に軸挿し、並列した複数のロールでもってベッド面を形成し、ベッドフレームの中折れ角度を所定角度に保持する解除可能な角度保持手段を設け、ベッド面に布団を敷設し、ロール上で身体を動かして圧接点を変えることで床擦れを防止でき、しかもベッド面の一部を所定角度に傾斜させて身体を横臥状態に保持できるようにした床擦れ防止ベッド
２）  ベッドフレームの中折れ部分を２箇所設け、ベッド面の一部を左右いずれかの向きに傾斜させて身体を横臥状態に保持できるようにした前記１）記載の床擦れ防止ベッド
３）  ロール上に敷設した布団をベッドフレームの左右端に固定する布団挟持具を設け、ベッドフレームの中折れ時に敷設した布団がロール上を滑らないようにした前記１）又は２）記載の床擦れ防止ベッド
４）  ベッドフレームが、ベッドの幅方向に分割したフレームの長手端同士を回動自在に枢着した構造である前記１）〜３）いずれか記載の床擦れ防止ベッド
５）  角度保持手段が、爪車に逆止爪を解除可能に掛止して一方向のみに回動できるようにしたラチェット装置を分割したフレームの枢着部に取り付けてベッド面の一部を所定の傾斜角度に保持できるようにしたものである前記４）記載の床擦れ防止ベッド
６）  各ロールの一部又は全部をモータの駆動力で回転させるようにした前記１）〜５）いずれか記載の床擦れ防止ベッド
にある。
【０００５】
【作用】
本発明によれば、複数本のロールで形成された凹凸面で身体との接触面積が小さくなるとともに回転自在なロールで身体の圧接点を変えることで、血管の圧迫を低減して床擦れが防止される。また、身体を横向きに傾ける際もフレームを中折して所要の傾斜角度にすることで身体がズレることなく横向き姿勢が容易に保持され、枕等の補助を必要としない。
【０００６】
【発明の実施の形態】
本発明のロールとしては、プラスチックや木材，圧縮した綿をポリエステル等の布袋で密封した弾性体，ポリスチレン等の発泡体，空気を充填した弾性チューブからなる直径５ｃｍ程度，長さ１５ｃｍ程度の円柱状のものが用いられ、長手方向に８〜１５本直列に設けられる。
【０００７】
フレームは中折れ部を複数箇所設けられ、ロール面を長手方向に沿って折曲して任意の角度に傾斜させ、身体の横向きの姿勢を枕等の補助具を用いることなく容易に保持できるようにする。傾斜角度は０〜９０°の範囲で求める傾斜角度を保持する機構はラチェット装置が一般的に用いられる。
【０００８】
ロール面には薄いマットレスや布団，ポリエステル等のシーツ状のものが敷設され、ロール面を傾斜させた際にロール上を滑らないように少なくともその長手片側をクランプ等の挟持具で固定する。
【０００９】
本発明の床擦れ防止ベッドは脚を備えた通常のベッドの他、脚を省略して畳等の床面に直接載置する寝台として使用できる。以下、本発明の各実施例を図面に基づいて具体的に説明する。
【００１０】
【実施例】
実施例１（図１〜７参照）：図１〜７に示す実施例１は、脚を備えたベッド台上に本発明の床擦れ防止ベッドを取り付けた例である。図１は実施例１の床擦れ防止ベッドの平面図、図２は実施例１の床擦れ防止ベッドの傾動を示す説明図、図３は実施例１の床擦れ防止ベッドの一部切欠説明図、図４は実施例１の角度保持手段の説明図、図５〜７は実施例１の床擦れ防止ベッドの使用状態を示す説明図である。
【００１１】
図中、１は床擦れ防止ベッド、１ａは長手フレーム、１ｂは短手フレーム、１ｃは中間フレーム、２は蝶番、３は軸体、３ａはナット、４はロール、５は角度保持手段、５ａは爪車、５ｂは逆止爪、５ｃはスプリング、５ｄはベース、５ｅは解除レバー、６は挟持具、Ｂはベッド台、Ｂａは脚、ｂは別のベッド、Ｈは人、Ｍは敷布団である。
【００１２】
実施例１の床擦れ防止ベッド１は、図１〜３に示すように短手フレーム１ｂをベッドの幅方向に３体に分割して隣接する長手フレーム１ａ同士を蝶番２で回動自在に枢着し、前後の短手フレーム１ｂ間に鋼製の軸体３をベッドの幅方向へ所定間隔おいて４列ずつ架設してナット３ａで螺着し、同各軸体３それぞれに軸孔を備えた長さ１６ｃｍ，直径５ｃｍの硬質プラスチック製のロール４を複数本直列に軸挿している。
【００１３】
角度保持手段５は、図４に示すように隣接する各短手フレーム１ｂのいずれか端部に爪車５ａを固着し、他方の短手フレーム１ｂに逆止爪５ｂを爪車５ａに掛止可能に回動自在に軸支し、同逆止爪５ｂを一方向のみへ回動規制するベース５ｄを取り付け、逆止爪５ｂの回動で解除操作を行うための解除レバー５ｅを取り付けている。
【００１４】
実施例１では、図５に示すように床擦れ防止ベッド１をベッド台Ｂ上に設置し、ロール４面上に敷布団Ｍを敷設して使用する。人Ｈが敷布団Ｍ上に仰向けに寝ると、体重で敷布団Ｍがロール４間の凹所により凹凸となる。従って、人Ｈの背中は敷布団Ｍと部分的に接することとなるから接していない部分は血行が維持され、しかもロール４が回転するから身体の圧接点を変えることで床擦れし難くなる。また、ロール４は人Ｈの背筋に沿っているから血行にも好ましい。
【００１５】
一方、身体を横向きにする場合は図６に示すように敷布団Ｍの長手片端部をクランプからなる挟持具６で長手フレーム１ａに固定し、横向きにすべき方を上方に持ち上げて傾動させ、角度保持手段５で所望の傾斜角度にロックさせることで容易に横臥状態にとれる。また、人Ｈは片方の腕が敷布団Ｍと接するが、敷布団Ｍの面はロール４で凹凸となっているからズレ難く姿勢が保持される。
【００１６】
また、図７に示すように例えば病院で動けない患者を他の病室へ移動する際、キャスターを備えた別のベッドｂへ移し替えることがあるが、実施例の床擦れ防止ベッド１のベッド面は回転自在な複数のロール４で構成されているから、敷布団Ｍの長手端部を引っ張ることで敷布団Ｍごと別のベッドｂへ容易にスライドさせることが可能となる。
【００１７】
図８，９に示すのは、実施例１の床擦れ防止ベッドの他の例である。図８は実施例１の他の例の床擦れ防止ベッドの傾動を示す説明図、図９は実施例１の他の例の床擦れ防止ベッドの使用状態を示す説明図である。
【００１８】
実施例１の他の例では、図８に示すように短手フレーム１ｂの中折れ部を１箇所のみ設けて略Ｖ字状に傾動可能に構成し、図９に示すように敷布団Ｍを敷設後挟持具６で固定することなく使用する。従って、片側を上方へ持ち上げるとロール４の回転で人Ｈが敷布団Ｍごと反対側へ移動し、圧接点を容易に変化させて床擦れを防止することができる。その他、符号、構成は実施例１と同じである。
【００１９】
実施例２（図１０〜１３参照）：図１０〜１３に示す実施例２は、一部のロールをタイマを用いて電動で間欠的に正逆回転できるようにした床擦れ防止ベッドの例である。図１０は実施例２の床擦れ防止ベッドの一部切欠説明図、図１１は実施例２のコントローラの回路の説明図、図１２は実施例２の床擦れ防止ベッドの使用状態を示す説明図、図１３は実施例２のタイマによるモータの作動を示すチャートである。
【００２０】
図中、３ｂはスプロケット、３ｃはチェーン、７はモータ、７ａは出力軸、８は減速器、９はコントローラ、９ａはＣＰＵ、９ｂはＲＡＭ、９ｃはＲＯＭ、９ｄはタイマ、９ｅはインターフェイスである。
【００２１】
実施例２では、図１０に示すように実施例１における３体に分割したベッド面の中央側の各ロール４を軸体３へ固着するとともに各軸体３を短手フレーム１ｂに回転自在に軸支し、各軸体３の軸端にスプロケット３ｂをそれぞれ軸着してチェーン３ｃを掛架し、片端の軸体３に減速器８を備えたモータ７の出力軸７ａを連結し、モータ７を制御するコントローラ９を取り付けている。
【００２２】
コントローラ９は、図１１に示すようにＣＰＵ９ａ・ＲＡＭ９ｂ・ＲＯＭ９ｃ・タイマ９ｄ・インターフェイス９ｅから構成され、ＲＯＭ９ｃ内に記録したプログラムでインターフェイス９ｅを通じてモータ７を制御できるようにしている。
【００２３】
実施例２では、図示しないスイッチでコントローラ９を作動させると、図１３に示すようにプログラムはタイマ９ｄを用いて２０分間モータ７をＯＦＦ状態にし、２０分経過後モータ７を正回転させて約３分かけて各ロール４を駆動させることで人Ｈを敷布団Ｍごと横方向へ１０〜１５ｃｍ程ゆっくりとスライドさせ、圧接点を変更してモータ７を停止させる。その後、２０分間経過後モータ７を逆回転させて人Ｈと敷布団Ｍを先と反対方向へゆっくりとスライドさせて圧接点を変更し、この動作を所要時間繰り返す。
【００２４】
実施例２はこのように構成したから、所定時間おきに人Ｈを敷布団Ｍごと間欠的にスライドさせることで自動的に圧接点を容易に変更して介護者の負担を著しく軽減でき、しかもゆっくりとスライドさせるため寝ている人Ｈを起こしたりすることがなく、寝たきりや重病患者に好ましく使用できるものである。その他、符号、構成は実施例１と同じである。
【００２５】
図１４〜１６に示すのは、実施例２の床擦れ防止ベッドの他の例である。図１４は実施例２の他の例の床擦れ防止ベッドの一部切欠説明図、図１５は実施例２の他の例の床擦れ防止ベッドの使用状態を示す説明図、図１６は実施例２の他の例のタイマによるモータの作動を示すチャートである。
【００２６】
実施例２の他の例では、図１４に示すように実施例１における３体に分割した各ベッド面の外側２本の各軸体３を短手フレーム１ｂに回転自在に軸支するとともに同各軸体３に各ロール４を固着し、軸支した各軸体３の軸端にスプロケット３ｂをそれぞれ軸着して各ベッド面に渡ってチェーン３ｃを掛架し、中央のベッド面の片側の軸体３に減速器８を備えたモータ７の出力軸７ａを連結し、モータ７を制御するコントローラ９を取り付けている。コントローラ９は実施例２と同じ構成である。
【００２７】
実施例２の他の例では、図１５（ａ）に示すように左右のベッド面をおよそ１５°の角度に傾斜させた後、図示しないスイッチでコントローラ９を作動させると、図１６に示すようにプログラムはタイマを用いて３時間モータ７をＯＦＦ状態にし、３時間経過後モータ７を正回転させて約３分各ロール４を駆動させることで図１５（ｂ）に示すように人Ｈを敷布団Ｍごと分割した右側へゆっくりとスライドさせてモータ７を停止させ、２時間程右横向きにして圧接点を変更する。
次いで、２時間経過後モータ７を逆回転させて中央へ戻して３時間ＯＦＦにし、その後、モータ７をさらに逆回転させて図１５（ｃ）に示すように分割した左側へスライドさせ、２時間程左横向きにして圧接点を変更し、この動作を所要日数繰り返す。その他、符号、構成は実施例２と同じである。
【００２８】
【発明の効果】
以上説明したように、本発明によれば長時間寝ても血行を維持して床擦れを防止するとともに、枕等を用いることなく身体を横向きに傾けて容易に姿勢を保持し得る実用に供する床擦れ防止ベッドを提供できる。
【図面の簡単な説明】
【図１】実施例１の床擦れ防止ベッドの平面図である。
【図２】実施例１の床擦れ防止ベッドの傾動を示す説明図である。
【図３】実施例１の床擦れ防止ベッドの一部切欠説明図である。
【図４】実施例１の角度保持手段の説明図である。
【図５】実施例１の床擦れ防止ベッドの使用状態を示す説明図である。
【図６】実施例１の床擦れ防止ベッドの使用状態を示す説明図である。
【図７】実施例１の床擦れ防止ベッドの使用状態を示す説明図である。
【図８】実施例１の他の例の床擦れ防止ベッドの傾動を示す説明図である。
【図９】実施例１の他の例の床擦れ防止ベッドの使用状態を示す説明図である。
【図１０】実施例２の床擦れ防止ベッドの一部切欠説明図である。
【図１１】実施例２のコントローラの説明図である。
【図１２】実施例２の床擦れ防止ベッドの使用状態を示す説明図である。
【図１３】実施例２のタイマによるモータの作動を示すチャートである。
【図１４】実施例２の他の例の床擦れ防止ベッドの一部切欠説明図である。
【図１５】実施例２の他の例の床擦れ防止ベッドの使用状態を示す説明図である。
【図１６】実施例２の他の例のタイマによるモータの作動を示すチャートである。
【符号の説明】
１  床擦れ防止ベッド
１ａ  長手フレーム
１ｂ  短手フレーム
１ｃ  中間フレーム
２  蝶番
３  軸体
３ａ  ナット
３ｂ  スプロケット
３ｃ  チェーン
４  ロール
５  角度保持手段
５ａ  爪車
５ｂ  逆止爪
５ｃ  スプリング
５ｄ  ベース
５ｅ  解除レバー
６  挟持具
７  モータ
７ａ  出力軸
８  減速器
９  コントローラ
９ａ  ＣＰＵ
９ｂ  ＲＡＭ
９ｃ  ＲＯＭ
９ｄ  タイマ
９ｅ  インターフェイス
Ｂ  ベッド台
Ｂａ  脚
ｂ  別のベッド
Ｈ  人
Ｍ  敷布団
【図１】
2004254984.tif 000003
【図２】
2004254984.tif 000004
【図３】
2004254984.tif 000005
【図４】
2004254984.tif 000006
【図５】
2004254984.tif 000007
【図６】
2004254984.tif 000008
【図７】
2004254984.tif 000009
【図８】
2004254984.tif 000010
【図９】
2004254984.tif 000011
【図１０】
2004254984.tif 000012
【図１１】
2004254984.tif 000013
【図１２】
2004254984.tif 000014
【図１３】
2004254984.tif 000015
【図１４】
2004254984.tif 000016
【図１５】
2004254984.tif 000017
【図１６】
2004254984.tif 000018